(57)【要約】【課題】  前背面板に折り曲げ構造及び配電盤本体へのボルト・ナット締めによる固着を採用することにより、配電盤全体の強度を向上し、配電盤本体への取付作業効率を向上させる。【解決手段】  配電盤の筐体の前面又は背面に扉を取り付ける前背面板３０であって、長方形の枠体からなり、その枠体の上下左右の各辺３１，３２，３３，３４は断面コ字状の板厚２．３ｔ〜３．２ｔの鋼板を、断面コ字の開口を互いに対向させるように各辺の端部で溶接により接合し、その枠体の一方の側の面をボルト・ナットにより配電盤本体１０に固着するための複数のボルト・ナット穴３５を穿孔し、かつ、その枠体の他方の側の面の内周縁３７から外周方向に直角に扉取付部３６を延設する。【選択図】  図１
0003109951.tif 000002
【実用新案登録請求の範囲】
【請求項１】
配電盤の筐体の前面又は背面に扉を取り付ける前背面板であって、長方形の枠体からなり、その枠体の上下左右の各辺は断面コ字状の枠板を、断面コ字の開口を互いに対向させるように各辺の端部で溶接により接合するとともに、その枠体の一方の側の面を配電盤本体に固着し、かつ、その枠体の他方の側の面の内周縁から外周方向に直角に扉取付部を延設したことを特徴とする、配電盤の前背面板。
【請求項２】
前記前背面板は、配電盤本体の前面又は背面にボルト・ナットで固着したことを特徴とする、請求項１に記載の配電盤の前背面板。
【請求項３】
前記前背面板は、板厚が２．３ｔ〜３．２ｔの鋼板であることを特徴とする、請求項１又は２に記載の配電盤の前背面板。
【考案の詳細な説明】
【技術分野】
【０００１】  本考案は、配電盤の扉取付構造にに関するものである。
【背景技術】
【０００２】  配電盤の筐体の前面及び背面には、扉を取り付けるための扉取付板が固着されている。この扉取付板は一般に「前背面板」と呼ばれ、通常、長方形の枠体で、上下左右４つの各辺の部材が溶接で接合され、スタッド・ナットで配電盤の筐体に取り付けられている。
図５〜８は、このような従来の前背面板の構造を示す説明図である。図５は従来の前背面板の斜視図、図６は図５の前背面板の四辺の各部材を溶接接合する前の状態の斜視図、図７は図５の前背面板を配電盤本体の前面又は背面に取り付けようとする状態を示す斜視図、図８は前背面板の四辺の各部材の断面構造図である。【０００３】  図５に示すように、前背面板２０は、その長方形枠体の各辺２１，２２，２３，２４の各内周縁２５から直角に、配電盤本体１０に取り付ける側の反対側に扉取付部２６が延設されている。従来の前背面板２０は、板厚１．６ｍｍ（１．６ｔ）の鋼板を断面略Ｌ字形に曲げたものを上下左右四辺２１，２２，２３，２４を作り（図６参照）、溶接により接合したもの（図５参照）を配電盤の本体１０にスタッド・ナットで締め付けて固着していた。１．６ｔの前背面板で配電盤本体の前面・背面の対角寸法精度を出しているので、移動・積み込み・運搬時にねじれ、変形することがあり配電盤にとって非常に重要な対角寸法が狂うという問題があった。
【考案の開示】
【考案が解決しようとする課題】
【０００４】  本考案は、上述のような問題点に鑑みてなされたもので、前背面板に折り曲げ構造及び配電盤本体へのボルト・ナット締めによる固着を採用することにより、配電盤全体の強度を向上し、配電盤本体への取付作業効率を向上させることを目的とする。
【課題を解決するための手段】
【０００５】  上記課題を解決するために、本考案の請求項１の配電盤の前背面板は、配電盤の筐体の前面又は背面に扉を取り付ける前背面板であって、長方形の枠体からなり、その枠体の上下左右の各辺は断面コ字状の枠板を、断面コ字の開口を互いに対向させるように各辺の端部で溶接により接合するとともに、その枠体の一方の側の面を配電盤本体に固着し、かつ、その枠体の他方の側の面の内周縁から外周方向に直角に扉取付部を延設したことを特徴とするものである。
本考案の配電盤の前背面板は、上記のように構成したことにより、従来の前背面板に比べて格段に枠体としての強度が増すので、これを配電盤本体の前面又は背面に固着したとき、配電盤本体の前面・背面の対角寸法精度が高くなり、移動・積み込み・運搬時にねじれ、変形することが著しく軽減されるという作用効果を奏する。【０００６】  また、請求項２の配電盤の前背面板は、請求項１に記載の前背面板を配電盤本体の前面又は背面にボルト・ナットで固着したことを特徴とするものである。
本考案の配電盤の前背面板は、上記のように構成したことにより、従来のスタッド・ナットによる固着方法に比べて配電盤本体への固着が極めて強固になるとともに配電盤本体への取付作業効率が向上するという作用効果を奏する。【０００７】  また、請求項３の配電盤の前背面板は、請求項１又は２に記載の前背面板が板厚が２．３ｔ〜３．２ｔの鋼板であることを特徴とするものである。
本考案の配電盤の前背面板は、上記のように構成したことにより、従来の板厚１．６ｔの鋼板のものに比べて前背面板自体の強度向上によるねじれ、変形、歪が著しく軽減されるという作用効果を奏する。
【考案の効果】
【０００８】  上述の手段を講じたことにより、本考案の配電盤の前背面板は従来の前背面板に比べて格段に枠体としての強度が増すので、これを配電盤本体の前面又は背面に固着したとき、配電盤本体の前面・背面の対角寸法精度が高くなり、移動・積み込み・運搬時にねじれ、変形することが著しく軽減される。
また、前背面板を配電盤本体の前面又は背面にボルト・ナットで固着したことにより、従来のスタッド・ナットによる固着方法に比べて配電盤本体への固着が極めて強固になるとともに配電盤本体への取付作業効率が向上する。
また、前背面板に板厚が２．３ｔ〜３．２ｔの鋼板を用いたことにより、従来の板厚１．６ｔの鋼板のものに比べて前背面板自体の強度が向上し、配電盤全体のねじれ、変形、歪をが著しく軽減することができる。
【考案を実施するための最良の形態】
【０００９】  本考案の実施の形態を、図を用いて説明する。図１は、本考案の前背面板の斜視図である。図２は、図１の前背面板の四辺の各部材を溶接接合させる前の状態の斜視図である。図３は、図１の前背面板を配電盤本体の前面又は背面に取り付けようとする状態を示す斜視図である。
図２の前背面板の四辺３１，３２，３３，３４の各部材の端部を互いに溶接により接合し、図１の前背面板３０となるように組み立てる。そして、組み立てた前背面板３０を配電盤本体１０の前面又は背面にボルト・ナットにより固着して取り付ける。図３に示すように、配電盤本体１０の前面及び背面の枠部の適宜位置に、前背面板３０をボルト・ナットで固着して取り付けるための複数のボルト・ナット取付穴１１が穿孔されており、前背面板３０の側にも配電盤本体１０のボルト・ナット取付穴１１に対応する位置に複数のボルト・ナット取付穴３５が穿孔されている。
前背面板３０の四辺３１，３２，３３，３４の各部材は板厚２．３ｔ〜３．２ｔの鋼板を用いるが、配電盤の大きさやその中に取り付ける機器を含めた配電盤全体の重さを考慮して、鋼板の板厚を選択することが好ましい。【００１０】  図４Ａは前背面板３０の四辺の右辺部材３３の断面（図２のａ−ａ断面）の拡大図である。従来の前背面板２０の四辺の右辺部材２３の断面（図６のｂ−ｂ断面）の拡大図（図８）と比較すると、本考案の前背面板３０の各部材の断面構造は、従来の前背面板２０の各部材の断面に比べて略コ字状のチャンネル構造を有することから、強度的に遥かに強固な構造となっている。
図４Ｂは、前背面板３０を配電盤本体１０に取り付けたときの右辺部材３３と配電盤本体１０のボルト・ナット取付状態を示す部分断面図であって、前背面板３０の右辺部材３３のボルトナット取付穴３５の部位の断面の一例を示している。前背面板３０を配電盤本体１０の前面又は背面に取り付けるとき、配電盤本体１０の各ボルト・ナット取付穴１１に対応する前背面板３０のそれぞれのボルト・ナット取付穴３５の位置を合わせ、必要な数のボルト４１及びナット４２により締め付けて固着する。
【図面の簡単な説明】
【００１１】
【図１】本考案の前背面板の斜視図
【図２】本考案の前背面板の四辺の各部材を示す斜視図
【図３】本考案の前背面板の取り付けを示す斜視図
【図４】（Ａ）図２中のａ−ａ線が示す断面拡大図  （Ｂ）前背面板の取付状態を示す断面拡大図
【図５】従来の前背面板の斜視図
【図６】従来の前背面板の四辺の各部材を示す斜視図
【図７】従来の前背面板の取り付けを示す斜視図
【図８】図６中のｂ−ｂ線が示す断面拡大図
【符号の説明】
【００１２】  １０  配電盤本体
１１  ボルト・ナット取付穴
２０  従来の前背面板
２１  従来の前背面板の上辺部材
２２  従来の前背面板の下辺部材
２３  従来の前背面板の右辺部材
２４  従来の前背面板の左辺部材
２５  従来の前背面板の内周縁
２６  従来の前背面板の扉取付部
３０  本考案の前背面板
３１  本考案の前背面板の上辺部材
３２  本考案の前背面板の下辺部材
３３  本考案の前背面板の右辺部材
３４  本考案の前背面板の左辺部材
３５  本考案の前背面板のボルト・ナット取付穴
３６  本考案の前背面板の扉取付部
３７  本考案の前背面板の内周縁
４１  ボルト
４２  ナット
【図１】
0003109951.tif 000003
【図２】
0003109951.tif 000004
【図３】
0003109951.tif 000005
【図４】
0003109951.tif 000006
【図５】
0003109951.tif 000007
【図６】
0003109951.tif 000008
【図７】
0003109951.tif 000009
【図８】
0003109951.tif 000010